(57)【要約】【課題】  例えば、レーザ光の発光パワーを高速に切替える場合であっても、レーザ光を、所定の発光パワーで発光させ、適正な負帰還制御を行うための所望の電圧レベルを検出することを可能ならしめる。【解決手段】  電圧レベルが２値レベル以上（Ｖｐ又はＶｂ等）に階段状に変化する電圧信号における所望となる所定電圧レベルを検出する電圧レベル検出装置（１００）であって、低電圧レベル側に変化する際に、ピークホールドの終了時における電圧信号の電圧レベルが所定電圧レベルとなるようにホールド時間（ＨＴ）が設定されたピークホールド回路（２００）と、高電圧レベル側に変化する際に、ボトムホールドの終了時における電圧信号の電圧レベルが所定電圧レベルとなるようにホールド時間が設定されたボトムホールド回路（３００）とを備える。【選択図】  図３
2006114126.tif 000002
【特許請求の範囲】
【請求項１】
電圧レベルが２値レベル以上に階段状に変化する電圧信号における所望となる所定電圧レベルを検出する電圧レベル検出装置であって、
前記電圧信号が低電圧レベル側に変化する際に、ピークホールドの終了時における前記ピークホールドされた電圧信号の電圧レベルが前記所定電圧レベルとなるようにホールド時間が設定されたピークホールド回路と、
前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド回路と
を備えたことを特徴とする電圧レベル検出装置。
【請求項２】
前記ピークホールド回路は、前記電圧信号が第１電圧レベルから、該第１電圧レベルよりも低電圧レベルである第２電圧レベル側に変化する際に前記電圧信号の前記ピークホールドを開始し、該ピークホールドの終了時における前記電圧レベルが前記第２電圧レベルとなるようにホールド時間が設定され、
前記ボトムホールド回路は、前記ピークホールドされた電圧信号をボトムホールドすることを特徴とする請求項１に記載の電圧レベル検出装置。
【請求項３】
前記ボトムホールド回路は、前記電圧信号が第２電圧レベルから、該第２電圧レベルよりも高電圧レベルである第１電圧レベル側に変化する際に前記電圧信号の前記ボトムホールドを開始し、該ボトムホールドの終了時における前記電圧レベルが前記第１電圧レベルとなるようにホールド時間が設定され、
前記ピークホールド回路は、前記ボトムホールドされた電圧信号をピークホールドすることを特徴とする請求項１に記載の電圧レベル検出装置。
【請求項４】
情報記録媒体に対して照射される記録用のレーザ光を発光させる光源と、
前記レーザ光を、２つのパワー以上に階段状に変化するように発光させ、パルス出力させるように前記光源を駆動させるレーザ駆動装置と、
前記レーザ光を受光する受光素子と、
前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド回路と、
前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド回路と、
前記所定パワーを基準として、前記レーザ光を発光させるように前記レーザ駆動装置を負帰還制御する制御手段と
を備えたことを特徴とするレーザ出力制御装置。
【請求項５】
前記ピークホールド回路及び前記ボトムホールド回路のうち少なくとも一方は、前記ホールド時間を設定するホールド時間設定手段を有し、
前記ホールド時間設定手段は、前記情報記録媒体の記録速度に基づいて、前記ホールド時間を設定することを特徴とする請求項４に記載のレーザ出力制御装置。
【請求項６】
前記ホールド時間設定手段は、前記ピークホールド回路及び前記ボトムホールド回路のうち少なくとも一方を流れる電流を、前記記録速度に対応した所定値にすることによって、前記ホールド時間を設定することを特徴とする請求項５に記載のレーザ出力制御装置。
【請求項７】
電圧レベルが２値レベル以上に階段状に変化する電圧信号における所望となる所定電圧レベルを検出する電圧レベル検出装置における電圧レベル検出方法であって、
前記電圧信号が低電圧レベル側に変化する際に、ピークホールドの終了時における前記ピークホールドされた電圧信号の電圧レベルが前記所定電圧レベルとなるようにホールド時間が設定されたピークホールド工程と、
前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド工程と
を備えたことを特徴とする電圧レベル検出方法。
【請求項８】
情報記録媒体に対して照射される記録用のレーザ光を発光させる光源を備えたレーザ出力制御装置におけるレーザ出力制御方法であって、
前記レーザ光を、２つのパワー以上に階段状に変化するように発光させ、パルス出力させるように前記光源を駆動させるレーザ駆動工程と、
前記レーザ光を受光する受光工程と、
前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド工程と、
前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド工程と、
前記所定パワーを基準として、前記レーザ光を発光させるように前記レーザ駆動工程を負帰還制御する制御工程と
を備えたことを特徴とするレーザ出力制御方法。
【発明の詳細な説明】
【技術分野】
【０００１】
本発明は、例えばＤＶＤ等の情報記録媒体に、例えば、半導体レーザ等の光源から出射されたレーザ光等のレーザ出力を制御する電圧レベル検出装置及び方法、並びに、レーザ出力制御装置及び方法の技術分野に関する。
【背景技術】
【０００２】
例えば、ＤＶＤ−ＲＷ等の相変化型情報記録媒体や、ＤＶＤ−Ｒ等の色素型情報記録媒体に記録を行う際には、レーザ光の発光パワー（記録パワー）の制御を適切に行う必要がある。このレーザ光を同一の発光パワーで発光させるために、半導体レーザ（Laser Diode：以下、適宜「ＬＤ」と称す）を駆動させる電流（以下、適宜「ＬＤ駆動電流」と称す）と、発光パワーとの相関的特性は、ＬＤの自己発熱等により、容易に変動してしまう。このため、発光パワーを安定化させる手段として一般的にＡＰＣが行われる。ここに、「ＡＰＣ（Automatic Power Control）」とは、ＬＤから出射されるレーザ光の一部をフォトディテクタ（ＰＤ：Photo Detector）に入射させ、発光パワーに比例して発生するモニタ電流（監視電流）に基づいて、ＬＤ駆動電流の制御を行い、発光パワーの制御を行うという負帰還（ＮＦＢ：Negative Feed Back）制御手法の一種である。再生時においては、一般的にＬＤ駆動電流はノイズ抑制のために高周波電流が重畳されるが、ＤＣ的には一定電流であるため、比較的に低帯域の帰還ループを構成することで容易にＡＰＣを実現することができる。
【０００３】
他方、記録時にＡＰＣを行う場合、マーク又はスペースを形成するために、発光パワーが高速で変化するため、一定のＬＤ駆動電流が印加される再生時と比較して高度な制御が必要となる。
【０００４】
より詳細には、例えば、ＤＶＤ−Ｒ等の色素型情報記録媒体に対して、例えば、バイアスパワー、ライトパワー、及び、ピークパワー等の２値以上の発光パワーによって構成されているＬＤ発光波形規則、所謂、「ストラテジ」（図３又は図９を参照）により記録を行う場合、以下の様にして、バイアスパワーが検出される。即ち、例えば、最長データ長であるチャンネルクロックが１１Ｔのスペースデータ（又は、１４Ｔのシンクパターンデータ）が記録される際に、バイアスパワーで発光させるＬＤ駆動電流が、サンプルホールド回路等を備えて構成されるＡＰＣを実現する回路（以下、適宜「ＡＰＣ回路」と称す）により検出される。この検出された、バイアスパワーでレーザ光を発光させるＬＤ駆動電流を基準にして、他のレベルのパワーでレーザ光を発光させるＬＤ駆動電流を制御するようにすれば、比較的低コストの構成要素によって、正確な発光パワーの制御を行うことが可能となる。
【０００５】
【特許文献１】特開２００２−５７４０３号公報
【発明の開示】
【発明が解決しようとする課題】
【０００６】
近年では、記録速度（書込み速度）の高速化（例えば、１６倍速、２４倍速、又は、それ以上）に伴い、ＡＰＣ回路において、高速化処理が要求されている。より詳細には、記録速度が高速になるにつれて、マーク、及び、スペースを記録するための発光パワーの切替え時間の短縮化が要求されている。より具体的には、ＤＶＤ−Ｒに対して８倍速で記録を行った場合、数十ｎｓｅｃ程度の時間間隔で発光パワーの切替えを行わなくてはならない。
【０００７】
しかしながら、ＡＰＣ回路に含まれるサンプルホールド回路においては、記録速度が高速になるにつれて、サンプル時からホールド時へ切替わる時に発生するデジタルノイズ（所謂、リンギング成分）の出現頻度が増加してしまう。このデジタルノイズの影響により、バイアスパワーでレーザ光を発光させるＬＤ駆動電流の値に、直流成分としてのオフセット（所謂、ＤＣオフセット）が付加されてしてしまう。従って、バイアスパワー、及び、他のレベルのパワーでレーザ光を発光させるＬＤ駆動電流の正確な制御を行うことができなくなってしまうという技術的な問題点がある。
【０００８】
以上のように、記録速度の高速化に伴う、デジタルノイズの影響により、正確なＡＰＣを実現することができなくなってしまうという技術的な問題点がある。
【０００９】
そこで本発明は、例えば上述した問題点に鑑みなされたものであり、例えば、レーザ光の発光パワーを高速に切替える場合であっても、レーザ光を、所定の発光パワーで発光させ、適正な負帰還制御を行うための所望の電圧レベルを検出することが可能な電圧レベル検出装置及び方法、並びに、レーザ出力制御装置及び方法を提供することを課題とする。
【課題を解決するための手段】
【００１０】
本発明の請求項１に記載の電圧レベル検出装置は上記課題を解決するために、電圧レベルが２値レベル以上に階段状に変化する電圧信号における所望となる所定電圧レベルを検出する電圧レベル検出装置であって、前記電圧信号が低電圧レベル側に変化する際に、ピークホールドの終了時における前記ピークホールドされた電圧信号の電圧レベルが前記所定電圧レベルとなるようにホールド時間が設定されたピークホールド回路と、前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド回路とを備える。
【００１１】
本発明の請求項４に記載のレーザ出力制御装置は上記課題を解決するために、情報記録媒体（ＤＶＤ−Ｒ／ＲＷ）に対して照射される記録用のレーザ光を発光させる光源（半導体レーザ）と、前記レーザ光を、２つのパワー以上に階段状に変化するように発光させ、パルス出力させるように前記光源を駆動させるレーザ駆動装置（ＬＤドライバ）と、前記レーザ光を受光する受光素子と、前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド回路と、前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド回路と、前記所定パワーを基準として、前記レーザ光を発光させるように前記レーザ駆動装置を負帰還制御する制御手段とを備える。
【００１２】
本発明の請求項７に記載の電圧レベル検出方法は上記課題を解決するために、電圧レベルが２値レベル以上に階段状に変化する電圧信号における所望となる所定電圧レベルを検出する電圧レベル検出装置における電圧レベル検出方法であって、前記電圧信号が低電圧レベル側に変化する際に、ピークホールドの終了時における前記ピークホールドされた電圧信号の電圧レベルが前記所定電圧レベルとなるようにホールド時間が設定されたピークホールド工程と、前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド工程とを備える。
【００１３】
本発明の請求項８に記載のレーザ出力制御方法は上記課題を解決するために、情報記録媒体（ＤＶＤ−Ｒ／ＲＷ）に対して照射される記録用のレーザ光を発光させる光源（半導体レーザ）を備えたレーザ出力制御装置におけるレーザ出力制御方法であって、前記レーザ光を、２つのパワー以上に階段状に変化するように発光させ、パルス出力させるように前記光源を駆動させるレーザ駆動工程と、前記レーザ光を受光する受光工程と、前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド工程と、前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド工程と、前記所定パワーを基準として、前記レーザ光を発光させるように前記レーザ駆動工程を負帰還制御する制御工程とを備える。
【００１４】
本発明の作用及び他の利得は、次に説明する発明を実施するための最良の形態から明らかにされよう。
【発明を実施するための最良の形態】
【００１５】
（電圧レベル検出装置に係る実施形態）
以下、本発明の実施形態に係る電圧レベル検出装置について説明する。
【００１６】
本発明の電圧レベル検出装置に係る実施形態は、電圧レベルが２値レベル以上に階段状に変化する電圧信号における所望となる所定電圧レベルを検出する電圧レベル検出装置であって、前記電圧信号が低電圧レベル側に変化する際に、ピークホールドの終了時における前記ピークホールドされた電圧信号の電圧レベルが前記所定電圧レベルとなるようにホールド時間が設定されたピークホールド回路と、前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド回路とを備える。
【００１７】
本発明の電圧レベル検出装置に係る実施形態によれば、電圧信号として、例えば、相対的に高い電圧レベルと、相対的に低い電圧レベルとの２値レベル以上に階段状に変化するように出力される。この電圧信号は、パルス形状をなすようにしてもよい。
【００１８】
本実施形態によれば、例えばピークホールド回路によって、電圧信号のピーク値（最大値）が、ピークホールドされる、即ち、検出されると共に保持される。特に、このピークホールド回路のホールド時間は、ピークホールドの終了時におけるピークホールドされた電圧信号の電圧レベルが所定電圧レベルとなるように設定されている。このピークホールド回路は、例えば、電圧信号の出力速度に応じた所定のホールド時間に設定されていてもよい。ピークホールドにおける出力速度に応じた所定のホールド時間は、実験的、経験的又は理論的若しくはシミュレーション等により求めることが可能である。
【００１９】
例えば前述したピークホールドと同時に又は相前後して、ボトムホールド回路によって、電圧信号のボトム値（最小値）がボトムホールドされる、即ち、検出されると共に保持される。特に、このボトムホールド回路のホールド時間は、ボトムホールドの終了時におけるボトムホールドされた電圧信号の電圧レベルが所定電圧レベルとなるように設定されている。このボトムホールド回路は、例えば、電圧信号の出力速度に応じた所定のホールド時間に設定されていてもよい。ボトムホールドにおける出力速度に応じた所定のホールド時間は、実験的、経験的又は理論的若しくはシミュレーション等により求めることが可能である。
【００２０】
本発明の電圧レベル検出装置に係る実施形態の一の態様では、前記ピークホールド回路は、前記電圧信号が第１電圧レベルから、該第１電圧レベルよりも低電圧レベルである第２電圧レベル側に変化する際に前記電圧信号の前記ピークホールドを開始し、該ピークホールドの終了時における前記電圧レベルが前記第２電圧レベルとなるようにホールド時間が設定され、前記ボトムホールド回路は、前記ピークホールドされた電圧信号をボトムホールドする。
【００２１】
この態様によれば、電圧信号として、例えば、相対的に高い第１電圧レベルと、相対的に低い第２電圧レベルとの２値レベル以上に階段状に変化するように出力される。
【００２２】
この態様では、先ずピークホールド回路によって、電圧信号のピーク値（最大値）が、ピークホールドされる、即ち、検出されると共に保持される。特に、このピークホールド回路のホールド時間は、電圧信号が第１電圧レベルから低電圧レベル側に変化する際に電圧信号のピークホールドを開始し、該ピークホールドの終了時におけるピークホールドされた電圧信号の電圧レベルが第２電圧レベルとなるように設定されている。より詳細には、ピークホールド回路は、例えば、ＮＰＮ型トランジスタや、コンデンサや、定電流源等を備えて構成されていてもよい。
【００２３】
次に、ボトムホールド回路によって、ピークホールド回路によりピークホールドされた電圧信号のボトム値（最小値）がボトムホールドされる、即ち、検出されると共に保持される。より詳細には、ボトムホールド回路は、例えば、ＰＮＰ型トランジスタや、コンデンサや、定電流源等を備えて構成されていてもよい。
【００２４】
本発明の電圧レベル検出装置に係る実施形態の他の態様では、前記ボトムホールド回路は、前記電圧信号が第２電圧レベルから、該第２電圧レベルよりも高電圧レベルである第１電圧レベル側に変化する際に前記電圧信号の前記ボトムホールドを開始し、該ボトムホールドの終了時における前記電圧レベルが前記第１電圧レベルとなるようにホールド時間が設定され、前記ピークホールド回路は、前記ボトムホールドされた電圧信号をピークホールドする。
【００２５】
この態様によれば、電圧信号として、例えば、相対的に高い第１電圧レベルと、相対的に低い第２電圧レベルとの２値レベル以上に階段状に変化するように出力される。
【００２６】
この態様では、先ずボトムホールド回路によって、電圧信号のボトム値（最小値）が、ボトムホールドされる、即ち、検出されると共に保持される。特に、このボトムホールド回路のホールド時間は、電圧信号が第２電圧レベルから高電圧レベル側に変化する際に電圧信号のボトムホールドを開始し、該ボトムホールドの終了時におけるボトムホールドされた電圧信号の電圧レベルが第１電圧レベルとなるように設定されている。
【００２７】
次に、ピークホールド回路によって、ボトムホールド回路によりボトムホールドされた電圧信号のピーク値（最大値）がピークホールドされる、即ち、検出されると共に保持される。
【００２８】
（レーザ出力制御装置に係る実施形態）
以下、本発明の実施形態に係るレーザ出力制御装置について説明する。
【００２９】
本発明のレーザ出力制御装置に係る実施形態は、情報記録媒体（ＤＶＤ−Ｒ／ＲＷ）に対して照射される記録用のレーザ光を発光させる光源（半導体レーザ）と、前記レーザ光を、２つのパワー以上に階段状に変化するように発光させ、パルス出力させるように前記光源を駆動させるレーザ駆動装置（ＬＤドライバ）と、前記レーザ光を受光する受光素子と、前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド回路と、前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド回路と、前記所定パワーを基準として、前記レーザ光を発光させるように前記レーザ駆動装置を負帰還制御する制御手段とを備える。
【００３０】
本発明のレーザ出力制御装置に係る実施形態によれば、例えば、ＬＤドライバ等のレーザ駆動装置の制御下で、例えば、半導体レーザ等の光源によって、例えば、ＤＶＤ−Ｒ／ＲＷ等の追記型又は書換型の情報記録媒体に対して、記録用のレーザ光が照射される。このレーザ光は、例えば、記録マークの形成のために、発光パワーとして、例えば、相対的に高いパワー（即ち、ライトパワー、又は記録パワー）と、相対的に低いパワー（即ち、バイアスパワー、又は再生パワー）との２つのパワー以上に階段状に変化するように発光される。このレーザ光は、例えば、フォトディテクタ（ＰＤ：Photo Detector）等の受光素子によって受光されてもよい。この受光されたレーザ光の発光出力は、パルス形状をなすようにしてもよい。この発光出力は、負帰還制御を行うために、モニタ（監視）されることが可能である。
【００３１】
本実施形態によれば、例えば、ピークホールド回路によって、モニタされた発光出力のピーク値（最大値）が、ピークホールドされる、即ち、検出されると共に保持される。特に、このピークホールド回路のホールド時間は、モニタされた発光出力が、例えば相対的に低いパワー側に変化する際に発光出力のピークホールドを開始し、該ピークホールドの終了時におけるピークホールドされた発光出力のパワーが所望となる所定パワーとなるように設定されている。
【００３２】
例えば前述したピークホールドと同時に又は相前後して、ボトムホールド回路によって、モニタされた発光出力のボトム値（最小値）がボトムホールドされる、即ち、検出されると共に保持される。特に、このボトムホールド回路のホールド時間は、モニタされた発光出力が、例えば相対的に高いパワー側に変化する際に発光出力のボトムホールドを開始し、該ボトムホールドの終了時におけるボトムホールドされた発光出力のパワーが所望となる所定パワーとなるように設定されている。
【００３３】
続いて、制御手段の制御下で、レーザ駆動装置は、ボトムホールドされた発光出力に基づいて、レーザ光を、例えばバイアスパワーである所定パワーで発光させるように光源を駆動する。と共に、レーザ駆動装置は、この所定パワーを基準として、一定のパワー量が加算された記録パワー（ライトパワー）で、例えば、記録マークの長さに応じて所定時間だけ発光させるように光源を駆動する。
【００３４】
仮に、ピークホールド回路及びボトムホールド回路の代わりに、サンプルホールド回路を使用した場合、記録速度（書込み速度）の高速化（例えば、１６倍速、２４倍速、又は、それ以上）に対応することが困難である。より詳細には、記録速度が高速になるにつれて、マーク、及び、スペースを記録するための第１パワーと第２パワーとの切替え時間の短縮化が要求される。より具体的には、ＤＶＤ−Ｒに対して８倍速で記録を行った場合、数十ｎｓｅｃ程度の時間間隔で第１パワーと第２パワーとの切替えを行わなくてはならない。しかしながら、ＡＰＣ回路に含まれるサンプルホールド回路においては、記録速度が高速になるにつれて、サンプル時からホールド時へ切替わる時に発生するデジタルノイズ（所謂、リンギング成分）の出現頻度が増加してしまう。このデジタルノイズの影響により、バイアスパワーでレーザ光を発光させるように、例えば、半導体レーザ等の光源を駆動させるＬＤ駆動電流の値に、直流成分としてのオフセット（所謂、ＤＣオフセット）が付加されてしてしまう。従って、レーザ光を、所定のバイアスパワー、及び、他のレベルのパワーで発光させる適正な負帰還制御を行うことができなくなってしまう。このように、記録速度の高速化に伴う、デジタルノイズの影響により、発光パワーの適正な負帰還制御を実現することができなくなってしまう。
【００３５】
これに対して、本実施形態によれば、例えば、ＮＰＮ型トランジスタや、コンデンサや、定電流源等を含むピークホールド回路を備えて構成されている。特に、このピークホールド回路は、例えば、記録速度に応じた所定のホールド時間に設定されている。この記録速度に応じた所定のホールド時間は、実験的、経験的又は理論的若しくはシミュレーション等により求めることが可能である。と共に、例えば、ＰＮＰ型トランジスタや、コンデンサや、定電流源等を含むボトムホールド回路を備えて構成されている。これら両回路によって、アナログ処理のみ行われるので、サンプルホールド方式で発生していた記録速度の高速化に伴って頻繁に出現するデジタルノイズに影響されることなく、発光パワーの適正な負帰還制御を実現することが可能となる。
【００３６】
本発明のレーザ出力制御装置に係る実施形態の一の態様では、前記ピークホールド回路及び前記ボトムホールド回路のうち少なくとも一方は、前記ホールド時間を設定するホールド時間設定手段を有し、前記ホールド時間設定手段は、前記情報記録媒体の記録速度に基づいて、前記ホールド時間を設定する。
【００３７】
この態様によれば、記録速度に対応して、ホールド時間が適切に設定される。よって、記録速度の高速化に対応して、発光パワーの適正な負帰還制御を実現することが可能となる。
【００３８】
更に、このホールド時間設定手段に係る態様では、前記ホールド時間設定手段は、前記ピークホールド回路及び前記ボトムホールド回路のうち少なくとも一方を流れる電流を、前記記録速度に対応した所定値にすることによって、前記ホールド時間を設定するように構成してもよい。
【００３９】
このように構成すれば、例えば、ＤＶＤレコーダー等の情報記録装置において、固有の機能を付加したり、固有の性能をチューニングしたりする等の特別な調整が殆ど又は完全に必要ない。よって、各種様々な情報記録装置に適用させることが可能となる。
【００４０】
（電圧レベル検出方法に係る実施形態）
本発明の電圧レベル検出方法に係る実施形態は、電圧レベルが２値レベル以上に階段状に変化する電圧信号における所望となる所定電圧レベルを検出する電圧レベル検出装置における電圧レベル検出方法であって、前記電圧信号が低電圧レベル側に変化する際に、ピークホールドの終了時における前記ピークホールドされた電圧信号の電圧レベルが前記所定電圧レベルとなるようにホールド時間が設定されたピークホールド工程と、前記電圧信号が高電圧レベル側に変化する際に、ボトムホールドの終了時における前記ボトムホールドされた電圧信号の電圧レベルが前記所定電圧レベルとなるようにホールド時間が設定されたボトムホールド工程とを備える。
【００４１】
本発明の電圧レベル検出方法に係る実施形態によれば、上述した本発明の電圧レベル検出装置に係る実施形態が有する各種利益を享受することが可能となる。
【００４２】
尚、本発明の電圧レベル検出方法に係る実施形態においても、上述した電圧レベル検出装置に係る実施形態についての各種態様と同様の態様を適宜採用することが可能である。
【００４３】
（レーザ出力制御方法に係る実施形態）
本発明のレーザ出力制御方法に係る実施形態は、情報記録媒体（ＤＶＤ−Ｒ／ＲＷ）に対して照射される記録用のレーザ光を発光させる光源（半導体レーザ）を備えたレーザ出力制御装置におけるレーザ出力制御方法であって、前記レーザ光を、２つのパワー以上に階段状に変化するように発光させ、パルス出力させるように前記光源を駆動させるレーザ駆動工程と、前記レーザ光を受光する受光工程と、前記受光されたレーザ光の発光出力が低いパワー側に変化する際に前記発光出力のピークホールドを開始し、該ピークホールドの終了時における前記ピークホールドされた発光出力のパワーが所望となる所定パワーとなるようにホールド時間が設定されたピークホールド工程と、前記受光されたレーザ光の発光出力が高いパワー側に変化する際に前記発光出力のボトムホールドを開始し、該ボトムホールドの終了時における前記ボトムホールドされた発光出力のパワーが前記所定パワーとなるようにホールド時間が設定されたボトムホールド工程と、前記所定パワーを基準として、前記レーザ光を発光させるように前記レーザ駆動工程を負帰還制御する制御工程とを備える。
【００４４】
本発明のレーザ出力制御方法に係る実施形態によれば、上述した本発明のレーザ出力制御装置に係る実施形態が有する各種利益を享受することが可能となる。
【００４５】
尚、本発明のレーザ出力制御方法に係る実施形態においても、上述したレーザ出力制御装置に係る実施形態についての各種態様と同様の態様を適宜採用することが可能である。
【００４６】
本実施形態のこのような作用及び他の利得は次に説明する実施例から明らかにされる。
【００４７】
以上説明したように、本発明の電圧レベル検出装置及び方法に係る実施形態によれば、ピークホールド回路及び工程と、ボトムホールド回路及び工程とを備えることにより、所望の電圧信号を適切に検出することが可能となる。本発明のレーザ出力制御装置及び方法に係る実施形態によれば、光源と、レーザ駆動装置及び工程と、受光素子及び工程と、ピークホールド回路及び工程と、ボトムホールド回路及び工程と、制御手段及び工程とを備えることにより、サンプル方式で発生していた記録速度の高速化に伴って頻繁に出現するデジタルノイズに影響されることなく、発光パワーの適正な負帰還制御を実現することが可能となる。
【実施例】
【００４８】
（電圧レベル検出装置及びレーザ出力制御装置の第１実施例）
以下、図１から図８を参照しながら、本発明の電圧レベル検出装置、及び、レーザ出力制御装置に係る第１実施例について説明する。尚、以下の説明においては、例えば、ＤＶＤレコーダー等の情報記録装置に含まれるＡＰＣ（Automatic Power Control）回路を、本発明の電圧レベル検出装置、及び、レーザ出力制御装置に係る一実施例として説明する。
【００４９】
（１）基本構成
先ず、図１及び図２を参照して、ＡＰＣ回路の基本構成について説明する。ここに、図１は、本発明の電圧レベル検出装置、及び、レーザ出力制御装置の実施例に係るＡＰＣ回路の基本構成を図式的に示すブロック図である。図２は、本発明のピークホールド回路、及び、ボトムホールド回路の基本構成を図式的に示すブロック図（図２（ａ））、該ピークホールド回路の定電流源の一具体例を示した図式的な回路図（図２（ｂ））、並びに該ボトムホールド回路の定電流源の一具体例を示した図式的な回路図（図２（ｃ））である。
【００５０】
図１に示されるように、ＡＰＣ回路１００は、本願発明に係る「光源」の一例を構成するＬＤ（半導体レーザ）１０１、本願発明に係る「受光素子」の一例を構成するＰＤ（フォトディテクタ）１０２、Ｉ／Ｖ変換器（電流電圧変換器）１０３、オペアンプ（Operational Amplifier：演算増幅器）１０４、本願発明に係るピークホールド回路２００、本願発明に係るボトムホールド回路３００、オペアンプ１０５、加算器１０７、及び、本願発明に係る「レーザ駆動装置」の一例を構成するＬＤドライバ１０８を備えて構成されている。
【００５１】
更に、図２（ａ）に示されるように、ピークホールド回路２００は、ＮＰＮ型トランジスタ２０１、コンデンサ２０２、及び、定電流源２０３を備えて構成されている。ボトムホールド回路３００も同様に、ＰＮＰ型トランジスタ３０１、コンデンサ３０２、及び、定電流源３０３を備えて構成されている。
【００５２】
（２）動作原理
次に、図３から図５に加えて、前述した図１及び図２を適宜参照して、ＡＰＣ回路の動作原理について詳細に説明する。ここに、図３は、本発明の第１実施例に係るピークホールド回路及びボトムホールド回路において、所定のホールド時間が設定された場合の各種動作が行われる前後の電圧信号の波形を図式的に示す波形図である。図４は、本発明の第１実施例に係るピークホールド回路及びボトムホールド回路において、所定のホールド時間より短く設定された場合の各種動作が行われる前後の電圧信号の波形を図式的に示す波形図である。図５は、本発明の第１実施例に係るピークホールド回路及びボトムホールド回路において、所定のホールド時間より長く設定された場合の各種動作が行われる前後の電圧信号の波形を図式的に示す波形図である。
【００５３】
図１に示されるように、先ず、ＬＤ１０１が照射したレーザ光ＬＢの一部（前方光でも後方光でもよい）が、ＰＤ１０２によって、直接的又は間接的に受光される。このＰＤ１０２からは、ＰＤ１０２に入射される発光パワーに比例した電流信号が出力される。
【００５４】
ＰＤ１０２から出力された電流信号は、その後の処理を簡単にするため、Ｉ／Ｖ変換器１０３により電圧信号に変換される。尚、全て電流で処理する場合は、電圧に変換されなくてもよい。図１の「Ａ点」における電圧信号の波形は、例えば、ＤＶＤ−Ｒ等の追記型情報記録媒体の場合、図３（ａ）に示されるように、４つの値を示す。より詳細には、レーザ光ＬＢのバイアスパワー（再生パワー）に対応する電圧であるバイアス電圧Ｖｂ、レーザ光ＬＢのピークパワーに対応する電圧であるピーク電圧Ｖｐ、レーザ光ＬＢのライトパワーに対応する電圧であるライト電圧Ｖｗ、及び、グラウンド電圧ＧＮＤを示す。尚、電圧が、グラウンド電圧ＧＮＤを維持する区間は、レーザ光ＬＢのオフパルス区間Ｔｏｆｆに相当する。
【００５５】
再び、図１に戻る。図１の「Ａ点」を通過した電圧信号は、オペアンプ１０４で増幅されて、ピークホールド回路２００へ出力される。ピークホールド回路２００において、電圧信号のピーク値（最大値）が、所定のホールド時間ＨＴで、ピークホールドされる、即ち、検出されると共に保持される。言い換えると、例えば、電圧信号の出力速度（即ち、記録速度に対応される）に応じた所定のホールド時間ＨＴ（図３（ｂ）中の黒丸の点線を参照）で、ピークホールド回路２００が設定されている。従って、図１の「Ｂ点」を通過した電圧信号は、図３（ｂ）に示されるように、電圧信号がピーク電圧Ｖｐから低電圧レベル側に変化する際に電圧信号のピークホールドが開始され、該ピークホールドの終了時におけるピークホールドされた電圧信号、即ち、ピークホールド後の電圧信号のボトム値（最小値）がバイアス電圧Ｖｂとなる。この出力速度に応じた所定のホールド時間ＨＴは、実験的、経験的又は理論的若しくはシミュレーション等により求めることが可能である。詳細には、定電流源２０３の電流を調節することによって、所定のホールド時間に設定することが可能である。より詳細には、定電流源２０３の電流値を変化させることによって、コンデンサの放電量を変化させる。従って、電圧信号が示す電圧値の減少の割合（傾き）を変化させ、所定のホールド時間に設定することが可能となる。
【００５６】
仮に、前述した所定のホールド時間より短いホールド時間ＨＴ（図４（ｂ）中の黒丸の点線を参照）で、ピークホールド回路２００が設定されている場合について考察する。この場合、図１の「Ｂ点」を通過した電圧信号は、図４（ｂ）に示されるように、電圧信号がピーク電圧Ｖｐから低電圧レベル側に変化する際に電圧信号のピークホールドが開始され、該ピークホールドの終了時におけるピークホールドされた電圧信号がグラウンド電圧ＧＮＤとなってしまう。従って、図４（ｃ）に示されるように、後述されるボトムホールド回路３００によって、バイアス電圧Ｖｂより低いグラウンド電圧ＧＮＤでボトムホールドされてしまう。よって、適正な負帰還制御を実現できなくなってしまう。或いは、仮に、前述した所定のホールド時間ＨＴより長いホールド時間（図５（ｂ）中の黒丸の点線を参照）で、ピークホールド回路２００が設定されている場合について考察する。この場合、図１の「Ｂ点」を通過した電圧信号は、図５（ｂ）に示されるように、電圧信号がピーク電圧Ｖｐから低電圧レベル側に変化する際に電圧信号のピークホールドが開始され、該ピークホールドの終了時におけるピークホールドされた電圧信号がバイアス電圧Ｖｂより高くなってしまう。従って、図５（ｃ）に示されるように、後述されるボトムホールド回路３００によって、バイアス電圧Ｖｂより高い電圧でボトムホールドされてしまう。よって、適正な負帰還制御を実現できなくなってしまう。
【００５７】
これに対して、例えば、電圧信号の出力速度に応じた所定のホールド時間ＨＴ（図３（ｂ）中の黒丸の点線を参照）で、ピークホールド回路２００が設定されている。従って、ピークホールドされた電圧信号のボトム値（最小値）がバイアス電圧Ｖｂとなる。従って、後述されるように、適正な負帰還制御を実現することが可能となる。
【００５８】
再び、図１に示されたピークホールド回路２００の説明に戻る。ピークホールド回路２００について、より詳細には、図２（ｂ）に示されるように、オペアンプ１０４ｂに入力される電圧を調節することで、一定の抵抗を保持する定電流源２０３の電流を調節することが可能である。例えば、出力速度が基準速度の８倍であれば、オペアンプ１０４ｂに入力される電圧の基準値をＶ１（電流：Ｉ１）、出力速度が基準速度の１６倍であれば、オペアンプ１０４ｂに入力される電圧の基準値をＶ２（電流：Ｉ２）、並びに、出力速度が基準速度の２４倍であれば、オペアンプ１０４ｂに入力される電圧の基準値をＶ３（電流：Ｉ３）とするように構成してもよい。他方、図２（ｃ）に示されるように、オペアンプ１０４ｃに入力される電圧を調節することで、一定の抵抗を保持する定電流源３０３の電流を調節することが可能である。例えば、出力速度が基準速度の８倍であれば、オペアンプ１０４ｃに入力される電圧の基準値をＶ１’（電流：Ｉ１’）、出力速度が基準速度の１６倍であれば、オペアンプ１０４ｃに入力される電圧の基準値をＶ２’（電流：Ｉ２’）、並びに、出力速度が基準速度の２４倍であれば、オペアンプ１０４ｃに入力される電圧の基準値をＶ３’（電流：Ｉ３’）とするように構成してもよい。このように構成すれば、例えば、ＤＶＤレコーダー等の情報記録装置において、固有の機能を付加したり、固有の性能をチューニングしたりする等の特別な調整が殆ど又は完全に必要ない。よって、各種様々な情報記録装置に適用させることが可能となる。
【００５９】
再び、図１に戻る。図１の「Ｂ点」を通過した電圧信号は、ボトムホールド回路３００へ出力される。ボトムホールド回路３００において、電圧信号のボトム値（最小値）が、ボトムホールド時間ＢＨＴで、ボトムホールドされる、即ち、検出されると共に保持される。言い換えると、例えば、少なくとも１倍速の電圧信号の出力速度に応じたボトムホールド時間（図３（ｃ）中の黒丸の点線を参照）で、ボトムホールド回路３００が設定されている。従って、図１の「Ｃ点」を通過した電圧信号は、図３（ｃ）に示されるように、ボトムホールドされた電圧信号がバイアス電圧Ｖｂとなる。
【００６０】
再び、図１に戻る。図１の「Ｃ点」を通過した電圧信号は、オペアンプ１０５で増幅される。そして、加算器１０７において、この増幅された電圧信号に、他のレベルのパワーでレーザ光を発光させるための記録信号が加算重畳される。ＬＤドライバ１０８は、電圧信号と、記録信号とに基づいて、例えば、バイアスパワーや、ピークパワーで、レーザ光ＬＢを発光させるように、ＬＤ１０１を駆動させる。尚、電圧から電流への変換は、このＬＤドライバ１０８において行われるように構成してもよい。
【００６１】
以上のような動作原理に基づいて、電圧信号が変換された基準電流信号、及び、記録信号に基づいて、駆動されるＬＤ１０１が照射したレーザ光ＬＢがＰＤ１０２に戻されるため、系全体で適正な負帰還制御を実現することが可能となる。
【００６２】
（電圧レベル検出装置及びレーザ出力制御装置の第１実施例の作用効果の検討）
次に、図６から図８を参照して、本発明の電圧レベル検出装置、及び、レーザ出力制御装置に係る第１実施例の作用効果について検討する。ここに、図６は、比較例に係るＡＰＣ回路の基本構成を図式的に示すブロック図である。図７は、比較例に係るサンプルホールド回路において、サンプルホールド等の各種動作が行われる前後の電圧信号の波形を図式的に示す波形図である。図８は、比較例に係るサンプルホールド回路において、出力速度が増加するに従って、デジタルノイズが、バイアスパワーでレーザ光を発光させる基準電流信号に大きく影響を与えることを図式的に示す波形図である。
【００６３】
図６に示されるように、比較例に係るＡＰＣ回路においては、ピークホールド回路２００及びボトムホールド回路３００の代わりに、サンプルホールド回路４００を備えて構成されている。図６及び図７（ｂ）に示されるように、サンプルパルスが、電圧信号が、例えば、バイアス電圧Ｖｂである区間において、サンプルが行われる。他方、電圧信号が、例えば、ピーク電圧Ｖｐ又はライト電圧Ｖｗである区間において、ホールドが行われる。そして、図７（ｃ）に示されるように、サンプルされたバイアス電圧Ｖｂに基づいて、バイアスパワーでレーザ光を発光させる基準電流信号の値が求められる。
【００６４】
しかしながら、このサンプルホールド回路４００において、図８（ａ）から図８（ｃ）に示されるように、出力速度（記録速度）が高速になるにつれて、サンプル時からホールド時へ切替わる時に発生するデジタルノイズ（所謂、リンギング成分）の出現頻度が増加してしまう。このデジタルノイズの影響により、バイアスパワーでレーザ光を発光させる基準電流信号の値に、直流成分としてのオフセット（所謂、ＤＣオフセット）が付加されてしてしまう。従って、バイアスパワー、及び、他のレベルのパワーでレーザ光を発光させるＬＤ駆動電流の正確な制御を行うことができなくなってしまう。
【００６５】
これに対して、本発明の電圧レベル検出装置、及び、レーザ出力制御装置に係る第１実施例によれば、例えば、ＮＰＮ型トランジスタ２０１や、コンデンサ２０２や、定電流源２０３等を含むピークホールド回路２００を備えて構成されている。特に、このピークホールド回路２００は、例えば、記録速度に応じた所定のホールド時間に設定されている。と共に、例えば、ＰＮＰ型トランジスタ３０１や、コンデンサ３０２や、定電流源３０３等を含むボトムホールド回路３００を備えて構成されている。これら両回路によって、アナログ処理のみ行われるので、サンプルホールド方式で発生する記録速度の高速化に伴って頻繁に出現するデジタルノイズに影響されることなく、発光パワーの適正な負帰還制御を実現することが可能となる。
【００６６】
（電圧レベル検出装置及びレーザ出力制御装置の第２実施例）
以下、図９から図１１に加えて前述した図１を適宜参照しながら、本発明の電圧レベル検出装置、及び、レーザ出力制御装置に係る第２実施例について説明する。ここに、本発明の電圧レベル検出装置、及び、レーザ出力制御装置に係る第２実施例の基本構成及び動作原理は、第１実施例と概ね同様である。図９は、本発明の第２実施例に係るピークホールド回路及びボトムホールド回路において、所定のホールド時間が設定された場合の各種動作が行われる前後の電圧信号の波形を図式的に示す波形図である。図１０は、本発明の第２実施例に係るピークホールド回路及びボトムホールド回路において、所定のホールド時間より短く設定された場合の各種動作が行われる前後の電圧信号の波形を図式的に示す波形図である。図１１は、本発明の第２実施例に係るピークホールド回路及びボトムホールド回路において、所定のホールド時間より長く設定された場合の各種動作が行われる前後の電圧信号の波形を図式的に示す波形図である。
【００６７】
第２実施例においては、例えば、ＤＶＤ−ＲＷ等の書換型情報記録媒体の場合におけるレーザ光の発光パワーのように、３つの値をとる電圧信号から、所望のイレーズ電圧Ｖｅを検出することが可能となる。
【００６８】
具体的には、図１の「Ａ点」における電圧信号の波形は、例えば、ＤＶＤ−ＲＷ等の書換型情報記録媒体の場合、図９（ａ）に示されるように、３つの値を示す。より詳細には、レーザ光ＬＢのバイアスパワー（再生パワー）に対応する電圧であるクーリング電圧Ｖｃ、レーザ光ＬＢのライトパワーに対応する電圧であるライト電圧Ｖｗ、及び、レーザ光ＬＢのイレーズパワーに対応する電圧であるイレーズ電圧Ｖｅを示す。尚、電圧が、パルス出力の最後において、クーリング電圧Ｖｃを維持する区間は、レーザ光ＬＢのクーリングパルス区間に相当する。
【００６９】
再び、図１に戻る。図１の「Ａ点」を通過した電圧信号は、オペアンプ１０４で増幅されて、ピークホールド回路２００へ出力される。ピークホールド回路２００において、電圧信号のピーク値（最大値）が、所定のホールド時間ＨＴで、ピークホールドされる、即ち、検出されると共に保持される。言い換えると、例えば、電圧信号の出力速度（即ち、記録速度に対応される）に応じた所定のホールド時間（図９（ｂ）中の黒丸の点線を参照）で、ピークホールド回路２００が設定されている。従って、図１の「Ｂ点」を通過した電圧信号は、図９（ｂ）に示されるように、電圧信号がライト電圧Ｖｗから低電圧レベル側に変化する際に電圧信号のピークホールドが開始され、該ピークホールドの終了時におけるピークホールドされた電圧信号、即ち、ピークホールド後の電圧信号のボトム値（最小値）がイレーズ電圧Ｖｅとなる。
【００７０】
仮に、前述した所定のホールド時間より短いホールド時間ＨＴ（図１０（ｂ）中の黒丸の点線を参照）で、ピークホールド回路２００が設定されている場合について考察する。この場合、図１の「Ｂ点」を通過した電圧信号は、図１０（ｂ）に示されるように、電圧信号がライト電圧Ｖｗから低電圧レベル側に変化する際に電圧信号のピークホールドが開始され、該ピークホールドの終了時におけるピークホールドされた電圧信号がイレーズ電圧Ｖｅより低くなってしまう。従って、図１０（ｃ）に示されるように、ボトムホールド回路３００によって、イレーズ電圧Ｖｅより低い値でボトムホールドされてしまう。よって、適正な負帰還制御を実現できなくなってしまう。或いは、仮に、前述した所定のホールド時間より長いホールド時間ＨＴ（図１１（ｂ）中の黒丸の点線を参照）で、ピークホールド回路２００が設定されている場合について考察する。この場合、図１の「Ｂ点」を通過した電圧信号は、図１１（ｂ）に示されるように、電圧信号がライト電圧Ｖｗから低電圧レベル側に変化する際に電圧信号のピークホールドが開始され、該ピークホールドの終了時におけるピークホールドされた電圧信号がイレーズ電圧Ｖｅより高くなってしまう。従って、図１１（ｃ）に示されるように、ボトムホールド回路３００によって、イレーズ電圧Ｖｅより高い電圧でボトムホールドされてしまう。よって、適正な負帰還制御を実現できなくなってしまう。
【００７１】
これに対して、例えば、電圧信号の出力速度に応じた所定のホールド時間ＨＴ（図９（ｂ）中の黒丸の点線を参照）で、ピークホールド回路２００が設定されている。従って、ピークホールドされた電圧信号のボトム値（最小値）がイレーズ電圧Ｖｅとなる。従って、適正な負帰還制御を実現することが可能となる。
【００７２】
本実施例では、電圧レベル検出装置の一具体例として、例えば、ＤＶＤ−Ｒ又はＤＶＤ−ＲＷ等の記録型光ディスクのレコーダー等の情報記録装置に含まれるＡＰＣ回路について説明したが、本発明は、例えば、全てのＣＤ、ＤＶＤ、及び、Blu-rayディスクの大容量記録媒体等の光学式情報記録媒体の情報記録装置含まれるＡＰＣ回路においても使用可能である。
【００７３】
本発明は、上述した実施例に限られるものではなく、請求の範囲及び明細書全体から読み取れる発明の要旨或いは思想に反しない範囲で適宜変更可能であり、そのような変更を伴う電圧レベル検出装置及び方法、レーザ出力制御装置及び方法もまた本発明の技術的範囲に含まれるものである。
【図面の簡単な説明】
【００７４】
【図１】本発明の電圧レベル検出装置、及び、レーザ出力制御装置の実施例に係るＡＰＣ回路の基本構成を図式的に示すブロック図である。
【図２】本発明のピークホールド回路、及び、ボトムホールド回路の基本構成を図式的に示すブロック図（図２（ａ））、該ピークホールド回路の定電流源の一具体例を示した図式的な回路図（図２（ｂ））、並びに該ボトムホールド回路の定電流源の一具体例を示した図式的な回路図（図２（ｃ））である。
【図３】本発明の第１実施例に係るピークホールド回路及びボトムホールド回路において、所定のホールド時間が設定された場合の各種動作が行われる前後の電圧信号の波形を図式的に示す波形図である。
【図４】本発明の第１実施例に係るピークホールド回路及びボトムホールド回路において、所定のホールド時間より短く設定された場合の各種動作が行われる前後の電圧信号の波形を図式的に示す波形図である。
【図５】本発明の第１実施例に係るピークホールド回路及びボトムホールド回路において、所定のホールド時間より長く設定された場合の各種動作が行われる前後の電圧信号の波形を図式的に示す波形図である。
【図６】比較例に係るＡＰＣ回路の基本構成を図式的に示すブロック図である。
【図７】比較例に係るサンプルホールド回路において、サンプルホールド等の各種動作が行われる前後の電圧信号の波形を図式的に示す波形図である。
【図８】比較例に係るサンプルホールド回路において、出力速度が増加するに従って、デジタルノイズが、バイアスパワーでレーザ光を発光させる基準電流信号に大きく影響を与えることを図式的に示す波形図である。
【図９】本発明の第２実施例に係るピークホールド回路及びボトムホールド回路において、所定のホールド時間が設定された場合の各種動作が行われる前後の電圧信号の波形を図式的に示す波形図である。
【図１０】本発明の第２実施例に係るピークホールド回路及びボトムホールド回路において、所定のホールド時間より短く設定された場合の各種動作が行われる前後の電圧信号の波形を図式的に示す波形図である。
【図１１】本発明の第２実施例に係るピークホールド回路及びボトムホールド回路において、所定のホールド時間より長く設定された場合の各種動作が行われる前後の電圧信号の波形を図式的に示す波形図である。
【符号の説明】
【００７５】
１００…ＡＰＣ回路、１０１…ＬＤ（半導体レーザ）、１０２…ＰＤ（フォトディテクタ）、１０３…Ｉ／Ｖ変換器、１０４（１０５）…オペアンプ、１０７…加算器、１０８…ＬＤドライバ、２００…ピークホールド回路、３００…ボトムホールド回路、２０１…ＮＰＮ型トランジスタ、２０２（３０２）…コンデンサ、２０３（３０３）…定電流源、３０１…ＰＮＰ型トランジスタ
【図１】
2006114126.tif 000003
【図２】
2006114126.tif 000004
【図３】
2006114126.tif 000005
【図４】
2006114126.tif 000006
【図５】
2006114126.tif 000007
【図６】
2006114126.tif 000008
【図７】
2006114126.tif 000009
【図８】
2006114126.tif 000010
【図９】
2006114126.tif 000011
【図１０】
2006114126.tif 000012
【図１１】
2006114126.tif 000013